(57)【要約】      （修正有）【課題】アクセルペダルの緩加減速操作において、操作主体になる筋に拘らず運転者が感覚的に十分な操作感を知覚することができる車両用制御装置を提供する。【解決手段】往特性及び復特性を有し且つアクセルペダルの踏込量と反力値との相関関係を設定した基準制御マップと、この基準制御マップに基づきアクセルペダル３の反力値を設定する反力設定部２４と、アクセルペダルに対する運転者の足の動作量を検出する踏込速度センサ５を備え、反力設定部２４は、踏込速度センサ５によって検出された運転者の足の動作量が大きいとき、基準制御マップの往特性と復特性との間のヒステリシスを動作量が小さいときよりも増加補正する。【選択図】図１
2019006185.tif 000002
【特許請求の範囲】
【請求項１】
往特性及び復特性を有し且つアクセルペダルの踏込量と反力値との相関関係を設定した基準制御マップと、この基準制御マップに基づきアクセルペダルの反力値を設定する反力設定手段とを備えた車両用制御装置において、
前記アクセルペダルに対する運転者の足の動作量を検出する動作量検出手段を備え、
前記反力設定手段は、前記動作量検出手段によって検出された動作量が大きいとき、前記基準制御マップの往特性と復特性との間のヒステリシスを前記動作量が小さいときよりも増加することを特徴とする車両用制御装置。
【請求項２】
前記反力設定手段は、前記動作量検出手段によって検出された動作量が大きいとき、前記基準制御マップの往特性を増加補正すると共に復特性を減少補正することを特徴とする請求項１に記載の車両用制御装置。
【請求項３】
前記基準制御マップの往特性の増加補正量と復特性の減少補正量が等しく設定されたことを特徴とする請求項２に記載の車両用制御装置。
【請求項４】
前記動作量検出手段が、前記アクセルペダルの踏込速度をパラメータとして運転者の足の動作量を検出することを特徴とする請求項１〜３の何れか１項に記載の車両用制御装置。
【請求項５】
前記動作量検出手段が、前記アクセルペダルに対する運転者の足による接触面積をパラメータとして運転者の足の動作量を検出することを特徴とする請求項１〜３の何れか１項に記載の車両用制御装置。
【請求項６】
往特性及び復特性を有し且つアクセルペダルの踏込量と反力値との相関関係を設定した基準制御マップと、この基準制御マップに基づきアクセルペダルの反力値を設定する反力設定手段とを備えた車両用制御装置において、
前記アクセルペダルの踏込速度をパラメータとして運転者の足の動作量を検出する動作量検出手段を備え、
前記反力設定手段は、前記動作量検出手段によって検出された踏込速度が大きいとき、前記基準制御マップの往特性と復特性との間のヒステリシスを前記踏込速度が小さいときよりも増加することを特徴とする車両用制御装置。
【発明の詳細な説明】
【技術分野】
【０００１】
本発明は、運転者の筋活動に応じてアクセルペダルの反力値を制御可能な車両用制御装置に関する。
【背景技術】
【０００２】
従来より、ドライブ・バイ・ワイヤ式エンジンを搭載した車両の場合、アクセルペダルとスロットルバルブや燃料噴射装置等の出力制御機器とがケーブルによって接続されていないため、電動式アクチュエータによって踏込量に応じた反力値を運転者に付与している。
アクセルペダルの踏込量と反力値とは、概ね比例関係を有するように設定されているため、運転者はアクセルペダルから付与される反力値によってアクセルペダルの踏込量を認識することが一般的である。それ故、アクセルペダルの反力値を変化させることにより、運転者の好みや走行環境に応じて運転者によるアクセルペダルの踏込操作を誘導するような反力制御装置が提案されている。
【０００３】
特許文献１の操作補助装置は、現時点を含む過去の所定時間区間における複数の仮想運転者の運転意図系列を動的に生成し、運転意図系列毎に、仮想運転者の運転操作量と実際の運転者の運転操作量との系列的な近似度合を表す運転操作量系列近似度合を算出すると共に複数の運転操作量系列近似度合を比較することにより実際の運転者の運転意図を推定し、推定した運転意図に基づいて実際の運転者の状態を推定している。
アクセルペダルの踏込操作の場合、運転者が車線変更を意図してから運転者の運転意図が車線変更であると推定されるまでの経過時間が長い程、アクセルペダルの反力指令値を速やかに低下させている。
【０００４】
また、本出願人によって人間の知覚特性を考慮したアクセルペダルの反力特性を設定する技術も提案されている。
特許文献２の車両のアクセルペダル制御装置は、アクセルペダルの踏込量とアクセルペダルの踏込速度と運転者に付与される反力値によって規定された三次元マップを有する反力設定手段と、アクセルペダルの踏込速度を検出する踏込速度検出手段とを備え、反力設定手段は、踏込速度が速いとき、踏込速度が遅いときに比べてアクセルペダルの反力値が小さくなるように反力特性を設定している。
これにより、運転者の負担と違和感を軽減しつつ、走行環境や運転意思に適合した反力特性を設定することができる。
【０００５】
運転者によるアクセルペダルの踏込及び踏戻動作は、筋活動の観点から、足関節の底屈及び背屈運動と見做すことができる。
図９に示すように、足関節によるアクセルペダルの操作には、主に、前脛骨筋ｐ、ヒラメ筋ｑ及び腓腹筋ｒ等が関与している。
前脛骨筋ｐは、足関節の背屈運動を行う単（一）関節筋であり、ヒラメ筋ｑは、足関節の底屈運動を行う単関節筋である。腓腹筋ｒは、足関節の底屈運動と膝関節の屈曲運動を行う二関節筋である。これらの骨格筋のうち、単関節筋は、機械的な力比に依存し、重力に抗して体を持ち上げる抗重力性を有し、また、二関節筋は、機械的なエネルギー消費を抑制し、外力の方向制御、所謂体を特定の方向に推進移動させる推進性を有している。
そして、骨格筋は、運動作用による筋収縮によって関節運動を起こす主働筋と、主働筋と対になって逆の働きをする拮抗筋とに分類される。
そこで、踏込動作の際には、主働筋がヒラメ筋ｑ、拮抗筋が前脛骨筋ｐとなり、主働筋であるヒラメ筋ｑを主体とした動作が行われる。一方、踏戻動作の際には、拮抗筋である前脛骨筋ｐを主体とした動作が行われる。
【先行技術文献】
【特許文献】
【０００６】
【特許文献１】特許第５２９３７８４号公報
【特許文献２】特開２０１６−０００５８１号公報
【発明の概要】
【発明が解決しようとする課題】
【０００７】
運転者によるアクセルペダルの操作は、運転シーンに応じて、アクセルペダルを初期位置から目標位置まで急激に操作する急加速（急減速）操作と、アクセルペダルを所定の領域内で微調整する緩加速（緩減速）操作とが存在している。
一方、筋の特性上、急加速操作の場合、運転者は高負荷で大きな動作（踏込又は踏戻）を行うため、二関節筋主体の操作によって運転者が認識する操作知覚性を高めることができ、臨場感を得ることができる。また、緩加減速操作の場合、運転者は高精度で小さな動作（微調整）を行うため、単関節筋主体の操作によって操作容易性を高めることができ、操作性を得ることができる。
それ故、臨場感と操作性、所謂操作感を向上するには、急加速操作のとき、二関節筋を主働筋にして単関節筋の寄与率よりも高くし、緩加速操作のとき、単関節筋を主働筋にして二関節筋の寄与率よりも高くすることが好ましい。
【０００８】
しかし、緩加減速操作のとき、単関節筋を主働筋にして二関節筋の寄与率よりも高くしてもアクセルペダルの操作感を十分に確保できない虞がある。
アクセルペダルを微調整する緩加減速操作の踏込操作では、ヒラメ筋ｑが主働筋、前脛骨筋ｐが拮抗筋として機能している。そして、踏戻操作では、踏込操作を解除するように拮抗筋である前脛骨筋ｐを主体とする操作が行われている。
即ち、アクセルペダルを微調整する緩加減速操作では、主働筋と拮抗筋共に単関節筋であり、単関節筋と二関節筋の寄与率の調整を行うだけでは、踏込動作から踏戻動作への移行時において、筋活動を主働筋から拮抗筋へ円滑に切替えることが容易ではなく、運転者は感覚的に十分な操作感を知覚することができない。
【０００９】
本発明の目的は、操作主体となる筋の種類に拘らず運転者が感覚的に十分な操作感を知覚することができる車両用制御装置等を提供することである。
【課題を解決するための手段】
【００１０】
請求項１の車両用制御装置は、往特性及び復特性を有し且つアクセルペダルの踏込量と反力値との相関関係を設定した基準制御マップと、この基準制御マップに基づきアクセルペダルの反力値を設定する反力設定手段とを備えた車両用制御装置において、前記アクセルペダルに対する運転者の足の動作量を検出する動作量検出手段を備え、前記反力設定手段は、前記動作量検出手段によって検出された動作量が大きいとき、前記基準制御マップの往特性と復特性との間のヒステリシスを前記動作量が小さいときよりも増加することを特徴としている。
【００１１】
この車両用制御装置では、前記反力設定手段は、前記動作量検出手段によって検出された動作量が大きいとき、前記基準制御マップの往特性と復特性との間のヒステリシスを前記動作量が小さいときよりも増加するため、運転者によるアクセルペダルの操作負荷が大きい踏込操作から踏戻操作への操作切替時、拮抗筋に作用する反力を低減しながら主な筋活動を主働筋から拮抗筋へ円滑に切替えることができ、アクセルペダルの操作性を確保することができる。
【００１２】
請求項２の発明は、請求項１の発明において、前記反力設定手段は、前記動作量検出手段によって検出された動作量が大きいとき、前記基準制御マップの往特性を増加補正すると共に復特性を減少補正することを特徴としている。
この構成によれば、踏込操作時、運動性能に優れた主働筋に作用する反力を高めて運転者の操作知覚性を向上し、踏戻操作時、拮抗筋に作用する反力を低減して運転者の操作容易性を向上している。
【００１３】
請求項３の発明は、請求項２の発明において、前記基準制御マップの往特性の増加補正量と復特性の減少補正量が等しく設定されたことを特徴としている。
この構成によれば、踏込操作から踏戻操作への操作切替時、アクセルペダルの操作性を確保しつつ運転者が感じる違和感の発生を抑制することができる。
【００１４】
請求項４の発明は、請求項１〜３の何れか１項の発明において、前記動作量検出手段が、前記アクセルペダルの踏込速度をパラメータとして運転者の足の動作量を検出することを特徴としている。
この構成によれば、既存のアクセルペダルセンサを用いて操作の主体となる筋及びその動作量を検出することができる。
【００１５】
請求項５の発明は、請求項１〜３の何れか１項の発明において、前記動作量検出手段が、前記アクセルペダルに対する運転者の足による接触面積をパラメータとして運転者の足の動作量を検出することを特徴としている。
この構成によれば、操作の主体となる筋の種類及びその動作量を高精度に検出することができる。
【００１６】
請求項６の車両用制御装置は、往特性及び復特性を有し且つアクセルペダルの踏込量と反力値との相関関係を設定した基準制御マップと、この基準制御マップに基づきアクセルペダルの反力値を設定する反力設定手段とを備えた車両用制御装置において、前記アクセルペダルの踏込速度をパラメータとして運転者の足の動作量を検出する動作量検出手段を備え、前記反力設定手段は、前記動作量検出手段によって検出された踏込速度が大きいとき、前記基準制御マップの往特性と復特性との間のヒステリシスを前記踏込速度が小さいときよりも増加することを特徴としている。
【００１７】
この車両用制御装置では、前記反力設定手段は、前記動作量検出手段によって検出された踏込速度が大きいとき、前記基準制御マップの往特性と復特性との間のヒステリシスを前記踏込速度が小さいときよりも増加するため、運転者によるアクセルペダルの操作負荷が大きい踏込操作から踏戻操作への操作切替時、拮抗筋に作用する反力を低減しながら筋活動を主働筋から拮抗筋へ円滑に切替えることができ、アクセルペダルの操作性を確保することができる。特に、アクセルペダルに対する運転者の足の動作量が小さいにも拘らず踏込速度が大きいときの操作性改善に有効である。
【発明の効果】
【００１８】
本発明の車両用制御装置によれば、操作主体となる筋の種類に拘らず、特にアクセルペダルの緩課減速操作において、運転者が感覚的に十分な操作感を知覚することができる。
【図面の簡単な説明】
【００１９】
【図１】実施例１に係る車両用制御装置のブロック図である。
【図２】アクセルペダルと反力制御機構の概略図である。
【図３】基準制御マップを示す図である。
【図４】緩加減速時における補正後の制御マップを示す図である。
【図５】急加減速時における補正後の制御マップを示す図である。
【図６】制御装置の処理手順を示すフローチャートである。
【図７】動作量検出手段の変形例を示す図である。
【図８】動作量検出手段の別の変形例を示す図である。
【図９】アクセルペダル操作時における骨格筋の説明図である。
【発明を実施するための形態】
【００２０】
以下、本発明の実施形態を図面に基づいて詳細に説明する。
以下の説明は、本発明を車両の制御装置に適用したものを例示したものであり、本発明、その適用物、或いは、その用途を制限するものではない。
【実施例１】
【００２１】
以下、本発明の実施例１について図１〜図６に基づいて説明する。
車両用制御装置１は、運転者の筋活動に応じてアクセルペダル３の反力値を制御することにより、運転者に対して操作主体になる筋に拘らず操作リニアリティを付与可能に構成されている。
図１に示すように、制御装置１は、ＥＣＵ（Electronic Control Unit）２を備えている。ＥＣＵ２は、ＣＰＵ、ＲＯＭ、ＲＡＭ等からなる電子制御ユニットであり、ＲＯＭに記憶されているアプリケーションプログラムをＲＡＭにロードし、ＣＰＵで実行することにより各種演算処理を行っている。
【００２２】
ＥＣＵ２は、アクセルペダル３の踏込又は踏戻操作量（以下、踏込量と略す）ｓを検出する踏込量センサ４と、アクセルペダル３の踏込速度Ｖを検出する踏込速度センサ５と、車両の走行速度を検出する速度センサ６と、車両に作用するヨーレートを検出するヨーレートセンサ７と、車両の走行加速度を検出する加速度センサ８等に電気的に接続されている。踏込速度センサ５が、アクセルペダル３の踏込速度Ｖをパラメータとしてアクセルペダル３に対する運転者の足の動作量（操作主体となる筋の種類）を間接的に検出する動作量検出手段に相当しているため、運転者によるアクセルペダル３の踏込量ｓに拘らず、踏込速度Ｖが大きいとき、運転者の足の動作量が大きいと判定され、踏込速度Ｖが小さいとき、運転者の足の動作量が小さいと判定される。
【００２３】
図２に示すように、アクセルペダル３は、車体に対して回動可能に保持され、その踏込操作によって運転者によるエンジン出力の増減意図が入力される。
踏込量センサ４は、アクセルペダル３又は回転軸３１に設けられ、その回動量からアクセルペダル３の踏込ストローク、所謂踏込量ｓを検出する。踏込量センサ４で検出されたアクセルペダル３の踏込量ｓは、ＥＣＵ２に出力される。尚、運転者の踏込みによる踏力が作用しない場合、アクセルペダル３は、アクセルペダル３に連結されたリターンスプリング３２によって踏込量ｓが零である初期位置に戻るように付勢されている。
踏込速度センサ５は、アクセルペダル３の回転軸３１に設けられ、その回転速度からアクセルペダル３の踏込速度Ｖを検出する。踏込速度センサ５で検出されたアクセルペダル３の踏込速度Ｖは、ＥＣＵ２に出力される。
【００２４】
速度センサ６、ヨーレートセンサ７、加速度センサ８は、各々の検出結果をＥＣＵ２に出力している。
車両走行部１０は、車両の走行制御を実行するための駆動機構や操舵機構である。
この車両走行部１０は、エンジン制御部、ステアリングアクチュエータ、ブレーキアクチュエータ、及びシフトアクチュエータ（何れも図示略）等によって構成されている。
車両走行部１０は、ＥＣＵ２からの出力信号に基づいて車両の走行制御を実行している。
【００２５】
図２に示すように、反力制御機構１１は、第１，第２摩擦部材４１，４２と、電磁式アクチュエータ４３等を備えている。
第１摩擦部材４１は回動軸３１の一端部に固着され、第２摩擦部材４２が第１摩擦部材４１に臨む状態で配設されている。第２摩擦部材４２は、回動軸３１の軸心延長上に配設された保持軸４４に対して、回転不能且つ軸心方向に相対移動可能に保持されている。
アクチュエータ４３は、第１，第２摩擦部材４１，４２を圧接状態と離隔状態との間において相対位置関係を変更し、圧接時における圧接力を調整可能に構成されている。
【００２６】
次に、ＥＣＵ２について説明する。
図１に示すように、ＥＣＵ２は、走行制御部２１と、記憶部２２と、特性補正部２３と、反力設定部２４（反力設定手段）等を備えている。
走行制御部２１は、アクセルペダル３の踏込量ｓと速度センサ６によって検出された車速に基づいてエンジンの出力を制御すると共に車両走行状態とエンジンの運転状態とに基づいて変速機の変速比を選択可能に構成されている。
変速機で減速されたエンジンの出力はドライブシャフト（図示略）を介して駆動輪に伝達される。
【００２７】
記憶部２２は、運転者によるアクセルペダル３の踏込量ｓと踏込速度Ｖとアクセルペダル３から運転者に作用する物理的な反力値に相当している反力ｆとによって規定された基準制御マップＦ（Ｆ−Ｓ特性）を予め格納している。
図３に示すように、基準制御マップＦは、アクセルペダル３の踏込量ｓ（ｓ１，ｓ２）に相当するｓ軸（横軸）と、アクセルペダル３を介して運転者に付与される反力ｆ（ｆ２，ｆ４，ｆ５，ｆ７）に相当するｆ軸（縦軸）とによって構成されている。
この基準制御マップＦは、標準的な運転者を対象として形成され、この運転者による所定のアクセルペダル３の操作、所謂踏込及び踏戻動作（足関節の底屈及び背屈運動）において、二関節筋（例えば、腓腹筋等）と単関節筋（例えば、前脛骨筋やヒラメ筋等）とが所定のバランス範囲（例えば、二関節筋の寄与率が４０％以上且つ６０％未満）内で動作されることを前提条件として設定されている
【００２８】
基準制御マップＦにおいて、踏込側特性は、原点から踏込量ｓ１（反力ｆ５）までの初期往特性Ｆ３と踏込量ｓ１から最大踏込量ｓ２（反力ｆ７）までの往特性Ｆ１とによって構成されている。往特性Ｆ１は、踏込量ｓに比例する１次関数で表すことができ、反力ｆ７は、反力ｆ５よりも大きい値に設定されている。
また、踏込操作の解除操作に相当する踏戻側特性は、最大踏込量ｓ２（反力ｆ４）から初期踏込量ｓ１（反力ｆ２）までの復特性Ｆ２と踏込量ｓ１から原点までの終期復特性Ｆ４とによって構成されている。復特性Ｆ２は、往特性Ｆ１と略平行状に設定され、反力ｆ４は、反力ｆ２よりも大きい値に設定されている。
往特性Ｆ１と復特性Ｆ２との離隔距離が、基準制御マップＦのヒステリシスＦ５に相当している。
【００２９】
次に、特性補正部２３について説明する。
特性補正部２３は、アクセルペダル３の操作ストロークが小さい、換言すれば運転者による操作の主体筋が単関節筋（例えば、前脛骨筋、ヒラメ筋等）である緩加減速操作時、アクセルペダル３に対する運転者の足による操作量ｓが大きいとき、基準制御マップＦのヒステリシスＦ５を増加補正した制御マップＦＡを設定している。
ここで、緩加減速操作とは、運転者の意思として略定速走行を狙いとした操作であり、車両Ｖの挙動としては、例えば、短時間内における３０Ｋｍ／ｈから４０Ｋｍ／ｈ、或いは４０Ｋｍ／ｈから３０Ｋｍ／ｈ等の微小変化を伴う一時的且つ過渡的走行である。
【００３０】
図４に示すように、特性補正部２３は、緩加減速操作時において、踏込速度Ｖが大きいとき、往特性Ｆ１を補正量Ｕ１増加した往特性Ｆ１ａに補正し、復特性Ｆ２を補正量Ｄ１減少した復特性Ｆ２ａに補正する。補正量Ｕ１，Ｄ１は、踏込速度Ｖに比例するように設定される。そして、往特性Ｆ１ａの最小値と原点とを結ぶ直線を初期往特性Ｆ３ａ、復特性Ｆ２ａの最小値と原点とを結ぶ直線を終期復特性Ｆ４ａ、往特性Ｆ１ａの最大値と復特性Ｆ２ａの最大値とを結ぶ直線をヒステリシスＦ５ａ（Ｆ５＋Ｕ１＋Ｄ１）に設定する。
本実施例では、アクセルペダル３の操作性を確保しつつ運転者が感じる違和感の発生を抑制するため、緩加減速操作時において踏込速度Ｖが同じ値のとき、補正量Ｕ１，Ｄ１を同じ値になるように設定している。
尚、各反力は、ｆ１＜ｆ２＜ｆ３＜ｆ４＜ｆ５＜ｆ６＜ｆ７＜ｆ８の関係が成立している。
【００３１】
また、特性補正部２３は、アクセルペダル３の操作ストロークが大きい、換言すれば運転者による操作の主体筋が二関節筋（例えば、腓腹筋等）である急加減速操作時、アクセルペダル３に対する運転者の足の操作量が大きいとき、基準制御マップＦの往特性Ｆ１及び復特性Ｆ２を操作量ｓが小さいときよりも増加補正した制御マップＦＢを設定している。
ここで、急加減速操作とは、運転者の意思として速度増加或いは減少走行を狙いとした操作であり、車両Ｖの挙動としては、例えば、一定時間を要する０Ｋｍ／ｈから３０Ｋｍ／ｈ、或いは５０Ｋｍ／ｈから１００Ｋｍ／ｈ等の加速又は減速を伴う長期的且つ安定的走行である。尚、緩加減速時の微調整よりも大きな操作に相当する中加減速操作については、急加減速操作に含まれるものとして扱う。
【００３２】
図５に示すように、特性補正部２３は、急加減速操作時において、踏込速度Ｖが大きいとき、往特性Ｆ１を補正量Ｕ２増加した往特性Ｆ１ｂに補正し、復特性Ｆ２を補正量Ｄ２増加した復特性Ｆ２ｂに補正する。補正量Ｕ２，Ｄ２は、踏込速度Ｖに比例するように設定される。そして、往特性Ｆ１ｂの最小値と原点とを結ぶ直線を初期往特性Ｆ３ｂ、復特性Ｆ２ｂの最小値と原点とを結ぶ直線を終期復特性Ｆ４ｂ、往特性Ｆ１ｂの最大値と復特性Ｆ２ｂの最大値とを結ぶ直線をヒステリシスＦ５ｂ（Ｆ５）に設定する。
本実施例では、運転者が感じる違和感の発生を抑制するため、急加減速操作時における踏込速度Ｖが同じ値のとき、補正量Ｕ２，Ｄ２を同じ値になるように設定しており、操作知覚性を向上するため、踏込速度Ｖが同じ値のとき、Ｕ１＜Ｕ２の関係が成り立ち、各反力は、ｆ２＜ｆ９，ｆ４＜ｆ１０，ｆ６＜ｆ１１，ｆ８＜ｆ１２の関係が成立している。
【００３３】
次に、反力設定部２４について説明する。
反力設定部２４は、Ｆ−Ｓ特性に基づく反力ｆに関する指令信号を出力している。
具体的には、緩加減速操作時には、制御マップＦＡ、急加減速操作時には、制御マップＦＢ、緩加減速操作と急加減速操作の何れにも該当しない場合、基準制御マップＦを用いて、踏込量ｓに対応する反力ｆを読み出し、この読み出された反力ｆがアクセルペダル３の操作反力ｆとして出力されている。
【００３４】
次に、図６のフローチャートに基づいて、制御装置１の制御処理手順について説明する。
尚、Ｓｉ（ｉ＝１，２…）は、各処理のためのステップを示す。
図６のフローチャートに示すように、まず、Ｓ１にて、イグニッション（Ｉｇ）がオン操作されたか否か判定する。
Ｓ１の判定の結果、イグニッションがオン操作された場合、各種センサ４〜８から入力された情報を読み込み（Ｓ２）、Ｓ３に移行する。
Ｓ１の判定の結果、イグニッションがオフ操作された場合、既に設定されている制御マップを基準制御マップＦに初期化して（Ｓ９）、リターンする。
【００３５】
Ｓ３では、運転者が緩加減速操作を行ったか否か判定する。
Ｓ３の判定の結果、運転者が緩加減速操作を行った場合、Ｓ４に移行し、踏込速度Ｖに比例する補正量Ｕ１と補正量Ｕ１と同じ値の補正量Ｄ１を演算する。
次に、Ｓ５では、往特性Ｆ１から補正量Ｕ１増加した往特性Ｆ１ａ、復特性Ｆ２から補正量Ｄ１減少した復特性Ｆ２ａ、初期往特性Ｆ３ａ、終期復特性Ｆ４ａ、ヒステリシスＦ５ａからなる制御マップＦＡを設定し、Ｓ６に移行する。
Ｓ６では、補正後の制御マップＦＡに基づいて反力制御機構１１を作動させて、リターンする。
【００３６】
Ｓ３の判定の結果、運転者が緩加減速操作を行っていない場合、Ｓ７に移行し、運転者が急加減速操作を行ったか否か判定する。
Ｓ７の判定の結果、運転者が急加減速操作を行った場合、Ｓ８に移行し、踏込速度Ｖに比例する補正量Ｕ２と補正量Ｕ２と同じ値にされた補正量Ｄ２を演算する。
次に、Ｓ９では、往特性Ｆ１から補正量Ｕ２増加した往特性Ｆ１ｂ、復特性Ｆ２から補正量Ｄ２増加した復特性Ｆ２ｂ、初期往特性Ｆ３ｂ、終期復特性Ｆ４ｂ、ヒステリシスＦ５ｂからなる制御マップＦＢを設定し、Ｓ６に移行し、補正後の制御マップＦＢに基づいて反力制御機構１１を作動させる。
Ｓ７の判定の結果、運転者が急加減速操作を行っていない場合、Ｓ６に移行し、基準制御マップＦに基づいて反力制御機構１１を作動させる。
【００３７】
次に、上記車両用制御装置１の作用、効果について説明する。
本制御装置１によれば、反力設定部２４は、踏込速度センサ５によって検出された運転者の動作量が大きいとき、基準制御マップＦの往特性Ｆ１と復特性Ｆ２との間のヒステリシスＦ５を動作量が小さいときよりも増加するため、運転者によるアクセルペダル３の操作負荷が大きい踏込操作から踏戻操作への操作切替時、拮抗筋に作用する反力ｆを低減しながら主な筋活動を主働筋から拮抗筋へ円滑に切替えることができ、アクセルペダル３の操作性を確保することができる。
【００３８】
反力設定部２４は、踏込速度センサ５によって検出された運転者の動作量が大きいとき、基準制御マップＦの往特性Ｆ１を増加補正すると共に復特性Ｆ２を減少補正するため、踏込操作時、運動性能に優れた主働筋に作用する反力ｆを高めて運転者の操作知覚性を向上し、踏戻操作時、拮抗筋に作用する反力ｆを低減して運転者の操作容易性を向上している。
【００３９】
基準制御マップＦの往特性Ｆ１の増加補正量Ｕ１と復特性Ｆ２の減少補正量Ｄ１が等しく設定されたため、踏込操作から踏戻操作への操作切替時、アクセルペダル３の操作性を確保しつつ運転者が感じる違和感の発生を抑制することができる。
【００４０】
動作量検出手段が、アクセルペダル３の踏込速度Ｖをパラメータとして運転者の足の動作量を検出するため、既存の踏込速度センサ５を用いて操作の主体となる筋及びその動作量を検出することができる。
【００４１】
次に、前記実施形態を部分的に変更した変形例について説明する。
１〕前記実施形態においては、アクセルペダル３に対する運転者の踏込量ｓが小さいにも拘らず踏込速度Ｖが大きいときの操作性改善を狙いとして、アクセルペダル３の踏込速度Ｖをパラメータとして運転者の足の動作量を検出した例を説明したが、運転者の足の動作量をアクセルペダル３に対する足の接触面積をパラメータとして検出しても良い。
図７に示すように、アクセルペダル３Ａに複数の圧電素子１２が埋設されている。
これら複数の圧電素子１２は、上下に亙って均等間隔に配置されているため、圧電素子１２の検出個数により運転者の足の接触面積を求めることができる。
図８に示すように、アクセルペダル３Ｂに３つの歪ゲージ１３が配設されている。
これら歪ゲージ１３は、上端部と左右両端部とに配置されているため、運転者の足による歪を介して運転者の足の接触面積を求めることができる。
これにより、操作の主体となる筋の種類及びその動作量を高精度に検出することができる。
【００４２】
２〕前記実施形態においては、緩加減速操作時、基準制御マップＦの往特性Ｆ１の補正量Ｕ１と復特性Ｆ２の補正量Ｄ１が等しく設定された例を説明したが、増加補正量Ｕ１と復特性Ｆ２の減少補正量Ｄ１とを異なる値（Ｕ１＜Ｄ１又はＤ１＜Ｕ１）に設定しても良い。
また、急加減速操作時、基準制御マップＦの往特性Ｆ１の補正量Ｕ２と復特性Ｆ２の補正量Ｄ２が等しく設定された例を説明したが、増加補正量Ｕ２と復特性Ｆ２の増加補正量Ｄ２とを異なる値（Ｕ２＜Ｄ２又はＤ２＜Ｕ２）に設定しても良い。
【００４３】
３〕前記実施形態においては、制御マップの往特性と復特性を踏込量に比例する１次関数で形成された例を説明したが、必ずしも線形性を備える必要はなく、上に凸状又は下に凸状の湾曲形状に形成しても良い。
【００４４】
４〕その他、当業者であれば、本発明の趣旨を逸脱することなく、前記実施形態に種々の変更を付加した形態や各実施形態を組み合わせた形態で実施可能であり、本発明はそのような変更形態も包含するものである。
【符号の説明】
【００４５】
１                    制御装置
３，３Ａ，３Ｂ        アクセルペダル
５                    踏込速度センサ
２４                  反力設定部
ｓ                    踏込量
Ｖ                    踏込速度
ｆ                    反力
Ｆ，ＦＡ，ＦＢ        制御マップ
Ｆ１，Ｆ１ａ，Ｆ１ｂ  往特性
Ｆ２，Ｆ２ａ，Ｆ２ｂ  復特性
【図１】
2019006185.tif 000003
【図２】
2019006185.tif 000004
【図３】
2019006185.tif 000005
【図４】
2019006185.tif 000006
【図５】
2019006185.tif 000007
【図６】
2019006185.tif 000008
【図７】
2019006185.tif 000009
【図８】
2019006185.tif 000010
【図９】
2019006185.tif 000011